(57)【要約】本発明は、栓と、栓が回転するのを防止し、それにより栓が皿類を置くことを可能にする栓サポートとを備えるナイフ置きに関する。栓サポートは、水平軸の方向で部分円筒（１２）であり、縦軸の方向において（使用者側に上方を向く）少なくとも栓側に構成される少なくとも１つの境界（１４）を備える空洞を形成する。前記栓サポートは、情報キャリアの延長表面（１６）や、反対側において実現されるカード保持デバイス（１８）をも備える。本発明はナイフ置きに使用することができる。
2006526445.tif 000002
【特許請求の範囲】
【請求項１】
栓（２０）と、
刃物類を支持するに使用されるとき、前記栓が回転や旋回するのを防止する栓サポート（１０、２８、３０、３６、４６、５０、５６、６２）とを備えることを特徴とする、ナイフ置き。
【請求項２】
前記刃物類支持の機能が前記栓（２０）によって履行され、前記サポートが、前記栓の縦軸と平行な２つのストップを備えることを特徴とする請求項１に記載のナイフ置き。
【請求項３】
前記ストップが、水平軸を有する円筒部分（１２）の形態の栓ハウジングと、上方突出縁を有するプレート（２４）と、少なくとも３つの側面において栓を囲むフレーム（２８）と、Ｕ形部材（３０）と、前記栓より上に突出する少なくとも１つの湾曲部材（３４）によって接続されるストップ（３２）とを備える群から選択される少なくとも１つの要素によって形成されることを特徴とする請求項２に記載のナイフ置き。
【請求項４】
前記刃物類支持の機能が前記栓によって履行され、前記栓サポートが、前記栓の中に貫通し、したがって前記栓が回転するのを防止するように突出する針（４０）を有することを特徴とする請求項１に記載のナイフ置き。
【請求項５】
前記刃物類支持の機能が前記栓サポート（４６、５０）によって履行されることを特徴とする請求項１に記載のナイフ置き。
【請求項６】
前記栓サポートが、垂直軸を有する円筒部分（６０）を備え、この部分が、前記栓の一端部を収容し、したがってその部分の縦軸が垂直であることを特徴とする請求項１に記載のナイフ置き。
【請求項７】
前記縦軸方向における前記栓（２０）の少なくとも１つの側面に、前記サポートの上に配置される少なくとも１つのストップ部材（１４，３８，５２）を備えることを特徴とする前記請求項のいずれか一項に記載のナイフ置き。
【請求項８】
前記サポートが、上および使用者に向いている側面に、情報を載せる大きな表面（１６）を備えることを特徴とする前記請求項のいずれか一項に記載のナイフ置き。
【請求項９】
前記サポートが、使用者に向いている側とは反対側である後部に、情報を載せる取外し可能カードを保持するデバイス（１８）を有することを特徴とする前記請求項のいずれか一項に記載のナイフ置き。
【請求項１０】
栓（２０）の数が、栓サポートの数より少なくとも１つ少ないことを特徴とする前記請求項のいずれか一項に記載の少なくとも２つのナイフ置きからなるナイフ置きセット。
【発明の詳細な説明】
【技術分野】
【０００１】
本発明は、ナイフ置き、および１セットのナイフ置きに関する。
【背景技術】
【０００２】
本場合では、「ナイフ置き」という用語はその通常の意味を有する。すなわち、ナイフ、スプーン、フォーク、あるいはさらには１つまたは複数の箸の端部を載せるようになっているアクセサリを指し、その機能は、テーブルクロスが汚れないように、刃物類のこの品物をテーブルクロスから離すことである。
【０００３】
ナイフ置きは、一般に、客が集まるテーブルがテーブルクロスで覆われるときに使用され、それにより、テーブルクロスは、刃物類と接触することによって生じる汚れの発生から保護される。これらの状況下では、食事は、一般に通常の食事より高品質であり、さらに食通の食事であり、少なくとも１つのタイプのワインが消費されることが極めて多き。これらの状況下では、客が食事から予期される最大の満足度を得るために、客は、すべての種類の考慮事項の主体であることが有利である。たとえば、客は、占有すべき座席、給仕される料理、飲むために提供されるワインなどについて助言される。すべてのこれらのほぼ実用的な尺度は、食事から得られる満足度を増進させることを意図する。
【０００４】
ナイフ置きは、一般に、テーブルクロスを保護するという純粋に実用的な機能を有し、ときには装飾的機能を有する。
【発明の開示】
【発明が解決しようとする課題】
【０００５】
本発明の目的は、いくつかの機能を有し、したがってささいな考慮事項を増大させることによって、食事から得られる満足度を増進させるナイフ置きを生成することである。
【０００６】
本発明タイプのアクセサリなしで、「ナイフ置き」の機能を提供することが望ましいとき、存在するあらゆるタイプの物体が使用され、したがって、ワインなどの栓が、ナイフ置きの機能を実施させるためにすでに使用されている。栓は、容易に回転するので、この応用例では１つの欠点を有する。したがって、栓は、テーブルクロスの保護を提供するのではなく、対照的に、テーブルクロスが汚れるのを促進する。したがって、フォークが栓の上に置かれるとき、フォークは、回転して、フォークの歯をテーブルクロスの上に押し付ける可能性がある。
【０００７】
この欠点を克服するために、栓が回転することを防止するように、栓から一部を切断することが必要であった。しかし、有効であるために、この部分は、大きくかつ栓のほぼ中心に届かなければならない。栓を切断することは、好都合ではなく、大きな部分がこのように切断されると、栓の上に通常あり、かつ栓が閉じていたボトルの内容物の由来または性質を示す刻印を読むことはほとんど常に不可能である。最後に、ナイフ置きとして直接使用される栓は、汚れ、しばしば交換されなければならない。
【０００８】
本発明の主題は、上記で記述された欠点を克服する方式で、ナイフ置きに栓を使用することである。より具体的には、本発明の目的は、一方では、ナイフ置きとして使用される栓の回転によって起こされる問題を克服し、他方では、栓が汚れる問題を克服することである。
【課題を解決するための手段】
【０００９】
より具体的には、本発明は、一方では栓を備え、他方では、栓が回転するのを防止し、具体的には栓が汚れるのを保護する他の機能を果たすことができるサポートを備えるナイフ置きに関する。
【００１０】
より具体的には、本発明は、栓と、刃物類支持として使用されるとき、栓の回転や旋回を防止することを意図する栓サポートとを備えるナイフ置きに関する。
【００１１】
一実施態様では、刃物類支持の機能が栓によって履行され、サポートは、栓の縦軸と平行である２つのストップを備える。異なる変形形態では、ストップは、水平軸を有する円筒部分の形態である栓ハウジングによって形成され、ストップは、上方突出縁を有するプレートによって形成され、２つのストップは、少なくとも３つの側面で栓を囲むフレームによって形成され、または、２つのストップは、Ｕ型の部材によって形成される。他の変形態様は、栓の縦軸と平行な２つのストップは、栓より上に突出する少なくとも１つの湾曲部材によって接続される。
【００１２】
他の実施態様では、刃物類支持の機能が栓によって履行され、栓サポートは、栓の中に貫通し、したがって栓が回転するのを防止するように突出する針を有する。
【００１３】
他の実施態様では、刃物類支持の機能が栓サポートによって履行される。
【００１４】
この実施態様の変形態様では、栓サポートは、少なくとも１つの上部横方向部分が透明であるケースを備え、栓サポートは、暴露される少なくとも１つの上部横方向部分を有するケースを備え、または、栓サポートは、刃物類の品物を栓から離すサポート・バーを有する。
【００１５】
上記の実施態様では、栓サポートが、縦軸方向における栓の少なくとも１側面において少なくとも１つのストップ部材を備えることが有利である。
【００１６】
いくつかの実施態様では、栓サポートは、入れ子式とする、または折りたたむことができることが有利であり、それにより、使用されていないときの空間要件が低減される。
【００１７】
サポートに置かれた栓が、垂直状態の軸を有する他の実施態様では、栓サポートは、垂直軸を有する円筒部分を備え、この部分は、栓の一端部を収容することを意図し、したがって、その縦軸は垂直である。
【００１８】
上記の実施態様では、サポートが、上を向き、使用者に向けられた側面に、情報を載せる大きな表面を備えることが有利である。
【００１９】
上記の実施態様では、サポートが、使用者に向いている側とは反対側である後部に、情報を載せる取外し可能にカードを保持するデバイスを有することも有利である。
【００２０】
いくつかの変形形態では、カード保持デバイスは、スロットがサポートに形成され、そのスロットはカードの縁の挿入を意図するスロットであり、また、スロットは、たとえば全長に沿って丸く、それによりカード自体の弾性でくさび形になるようにすることができ、または、保持デバイスはクリップを備えてもよい。
【００２１】
本発明は、上記の段落で適された、少なくとも２つのナイフ置きを備える１セットのナイフ置きにも関する。栓の数は、栓サポートの数より少なくとも１つ少なく、その場合、最後の栓は、ナイフ置きが使用されるときに開けられるボトルからであることが有利である。
【００２２】
本発明の他の特徴および利点は、添付の図面を参照して与えられる実施形態の以下の記述からより良好に理解されるであろう。
【発明を実施するための最良の形態】
【００２３】
図１に示されるナイフ置きサポートは、矩形平行六面体に、円筒部分の形態の中空部分を単に備える形状である。中空部分は、円形断面と水平軸を有し、その半径は、通常の栓の半径に対応している。図１に示されるサポート１０の中空円筒部分１２に栓が置かれ、栓が、中空部分１２の２つの側面によって形成される２つのストップによって保持されるので、回転しないことを理解できるであろう。図３において示唆されるように、刃物類の品物を栓の上に置くことができる。
【００２４】
図２のナイフ置きサポートは、図１のサポートと比較して、３つの改善を有する。まず、円筒凹みは、栓が一方の側または他方から落ちるのを防止するストップ部材１４によって両端に境界が形成されている。次に、本体は、上向き、前向きに傾斜した前面１６を有する。そこに、ナイフ置きが使用される際のイベントに言及したり、また食事と関連付けられる名称または句などの全種類の有用な情報を載せることができる。最後に、サポートの後部に構成されるスロット１８により、客の名前であることが最も多いであろう他の情報を記載したカードの縁を挿入することができる。このスロット１８は、水平形態において示されているが、わずかに傾斜させることもできる。その際、情報を載せるカードの面が後部に向かって上ることになるが、栓の上に置かれたナイフ、箸、または刃物類の他の品物と相互作用することがないようにする。さらに、スロット１８は、矩形の形態において示されているが、スロットに入れられるカードが、それ自体の弾性作用によってくさび形になるように、わずかに湾曲させることが有利であることがある。
【００２５】
図３は、図１と２の実施形態の中間変形形態に対応するサポートと栓２０を備えるナイフ置きが、箸２２を置くために使用されている方式を示す。
【００２６】
図１から３の栓サポートは、比較的固く、かつ容易に洗うことができる任意の適切な材料で形成することができる。様々なプラスチック材料だけでなく、木材、ガラス、石英、様々な金属、金属合金なども挙げることが可能である。
【００２７】
図４に示されるナイフ置きサポートは、食通の食事中に望ましい洗練された一例を形成している。このサポートは、たとえば金または銀などの貴金属から形成され、傾斜前面は、対象の食事と関連する位置またはイベントを示す刻印を載せる。栓のハウジング凹みは、栓が適所において有効に保持されるように歯付きである。
【００２８】
非常に高価な産物である可能性がある図４の実施形態とは対照的に、図５の実施形態は、極度に簡素である。これは、プレート２４によって形成され、プレートの２つの縦側面が、栓を保持する２つのストップの境界を定めるように、プレート２４の本体に対して隆起する突出部２６を形成する。２つの突出部２６は、プレート２４の本体に対して垂直であるように示されているが、突出部は、その高さに沿って内向きまたは外向きに傾斜させることができる。必要な特徴は、突出部２６を有する上部縁間の距離が、栓の半径を有し、かつ突出部２６の高さに等しい高さを有する円弧の弦の長さ以下であることである。
【００２９】
図６は、サポートがフレーム２８の形態にある他の実施形態を示す。フレーム２８は、栓２０を囲み、また、フレーム２８の２つの縦側面間の距離が栓２０の直径に等しいので、栓が回転することを防止することができる。フレーム２８の高さは、栓の半径以上である。栓は、刃物類の品物または箸を置くように、明らかにフレームより上に突出する。栓の上に形成される刻印は、上方部分において暴露される大きな表面部分の上に現れる。しかし、フレーム２８は、たとえば、ガラスまたは石英などの透明材料から形成されることも有利であり、これにより、栓の下側部分を見ることが可能になる。
【００３０】
図７の実施形態では、ナイフ置きは、栓２０がブランチの上に置かれるＵ形金属部材によって単に形成されるサポート３０を有する。
【００３１】
図８の実施形態では、栓２０は、テーブルの上に置かれる、３４として示されるバーによって接続される２つの湾曲部材３２によって保持される。
【００３２】
図９の実施形態では、図５のサポートと同様のサポート３６が、栓が端部に向かって移動するのを防止するための２つのストップ部材３８を端部に有する。図９の例では、これらのストップ部材３８は、名称またはイベントを示唆することが可能であるアルファベット文字の形状を有し、または任意の識別記号によって形成させることができる。
【００３３】
図１０は、図９の変形形態のナイフ置きサポートを示す。図９の実施形態では、栓は、図５の実施形態の場合ように、２つの突出部によって保持される。図１０の実施形態では、栓は保持されるが、その理由は、ストップ部材３８を置くサポート４２に固定式に接合される針４０の上に押し込まれるからである。この実施形態では、栓は、図９の実施形態の場合よりナイフ置きから分離させることが困難であり、洗うためにのみナイフ置きから分離される。
【００３４】
上記で記述されたすべての実施形態において、栓に設けられた刻印は、栓を使用する客が見ることができる。しかし、すべてのこれらの実施形態の欠点は、汚れた刃物類が栓と接触することである。栓は、通常、コルクから形成されるので、汚れることがある。栓が１回のみ使用される場合、この汚れは欠点ではない。しかし、栓が再使用可能でなければならない場合、サポートが汚れないことが望ましい。以下の４つの実施形態は、栓が汚れるのを防止する。
【００３５】
図１１の実施形態では、栓２０は、ケース４４によって覆われる横方向円筒表面を有する。これは、簡単な湾曲透明シートとして示され、このシートは、栓の全周のほぼ半分にわたって栓の形状に合致し、栓２０の外径に等しい内径を有する。栓２０の上に形成される刻印を、ケース４４を通して見ることができるが、刃物類の品物は、容易に洗うことができるケース４４の上に置かれる。このようにして、栓２０は、汚れることはない。
【００３６】
図１２は、サポート４６が、図６の実施形態の場合のように曲げることによって形成されず、代わりに、栓２０の直径よりわずかに大きい直径の円形断面を有する中空円筒の形態において凹み４８を残す成型によって形成される。このようにして、サポート４６の端部からアクセスすることができるサポートは、栓に設けられた刻印が、透明であるサポート材料４６を通して現れるように、回すことができる。
【００３７】
図１１、１２の２つの実施形態のサポートは、有利にはガラスまたは石英であるが、プラスチック材料とすることが可能である、透明材料から形成されることが有利である。
【００３８】
図１３は、ナイフ置きの他の実施形態を示し、栓２０は、ケース５０が、栓２０が刃物類の品物と接触するのを保護し、一方、栓２０の刻印を見えるように輪郭付けられた形状を有するケース５０に含まれている。したがって、図１３の実施形態のサポート５０は、不透明材料から形成されるであろう。また図１３では、例として、栓が一端または他端において残るのを防止するストップ部材５２を、両端壁が形成していることに留意されたい。栓は、サポート５０の下の部分に形成される穴を経て導入される。
【００３９】
図１４は、図９の実施形態と同様の他の実施形態を示し、刃物類と栓（図示せず）との間の接触が、サポート３６の端部に構成される２つのストップ部材３８の間に構成されるバー５４によって防止される。
【００４０】
図１１から１４のすべての実施形態において、栓は、刃物類と直接接触せず、したがって汚れない。
【００４１】
しかし、図１から１０に関して記述された実施形態では、透明プラスチック材料を保護し、洗うのを容易にするコーティングを、透明プラスチック材料の上に形成させることによって、栓のコルクが汚れることを防止することが可能であることに留意しなければならない。
【００４２】
上記で記述されたすべての実施形態は、たとえばワイン・ボトルを閉じるために使用される細長い円筒形態の従来の栓を使用する。しかし、本発明は、このタイプの栓に決して限定されない。
【００４３】
たとえば、特定の実施形態が、シャンペン・コルクと共に直接的に使用されることが可能である。たとえば、図１２の実施形態により、ヘッドが一端において突出するシャンペン・コルクの構成が可能になる。さらに、図７に示されるナイフ置きサポートと同様であり、かつシャンペン・ボトル・コルクを収容するのを可能にするように十分な高さを有するナイフ置きサポートを生成することが簡単である。
【００４４】
たとえばウィスキや他の強いアルコールに使用されるねじキャップの場合、使用者が、円筒表面ではなく、代わりに栓の端部表面を見ることが好ましい。図１５、１６は、従来の栓とねじキャップの両方に適切な他の実施形態を示す。図１５では、図２に関して記述された特徴を有するが、ストップ部材を有さないサポート５６が、垂直軸を有する円筒凹みをさらに有し、この凹みにおいて、下方部分がこの凹みの中に延びるねじキャップ５８を収容することができる。上方部分は、サポート５６より上に突出し、見ることができる。この場合、図１６に示される実施形態を使用することが有利である可能性があり、ねじキャップを収容することを意図する凹み６０が、サポート６２の一端に位置し、サポートの残りは、刃物類または箸を置くために使用することができる。図１６の例では、図１の凹み１２と同様の凹み５４、および図２を参照して記述されたスロットと同様のスロット１８の存在が示されている。
【００４５】
図１７、１８は、本体６６を有する入れ子式ナイフ置きを示す透視図である。本体から、栓を置くことを意図するスライド６８を引き出すことができる。スライドは、栓を端部に直立して配置させることができるハウジング７０をも備えてもよい。
【００４６】
図１９、２０は、上方部分が２つの回転式開閉フラップ７４によって閉じられる箱の形態の折りたたみナイフ置きサポート７２の透視図である。このタイプのナイフ置きサポートは、使用されていないとき、閉める空間の大きさを特に小さくすることができる。
【００４７】
図２１は、図１の固定ナイフ置きサポートの変形形態の透視図である。図２１に示されるナイフ置きサポートは、シート７６を単に備え、このシートは、円形断面と水平軸を有し、かつ半径が従来の栓の半径に対応する円筒部分の形態の中空部分７８を形成できるように十分厚い。プレート７６は、プレート７６の上に名称が刻印されているワイン・ボトルに通常使用されるラベルの形状と寸法を有する上面を有することが有利である。プレートは、たとえば金などの貴金属である。
【００４８】
ナイフ置きが単独で使用されるのはまれである。一般に、ナイフ置きは、食事の客のそれぞれに提供される。したがって、１セットのナイフ置きを有することが必要である。本発明は、このタイプのセットに関する。
【００４９】
食通の食事中でさえ、消費されるボトルの数は、一般に、客の数より少ない。しかし、各客が、自分が消費しているワインを示すことが好ましい栓を有することが有利である。したがって、このために、本発明は、サポートの数が栓の数より少なくとも１単位多い１セットのナイフ置きに関する。したがって、栓より多い１つまたは複数のサポートは、開けられたばかりのボトルの栓と共に使用される。
【００５０】
本発明による多数の異なる実施形態のナイフ置きが記述されたが、本発明は、いくつかの他の構築が当業者には明らかであるので、これらの実施形態に全く限定されない。これらのナイフ置きの重要な特徴は、すべてが栓を備え、この栓は、栓が回転する欠点を有さずに、また好ましくは栓を汚さずに、ナイフ置きを使用する客が、栓の上にある刻印を読むことができ、一方、ナイフ置きの機能を提供されるように構成されることが可能であることである。
【００５１】
当然、本発明の範囲から逸脱せずに、純粋に非限定的な例として上記において記述されたナイフ置きおよびセットに対して、当業者によって様々な修正が実施されることが可能である。
【図面の簡単な説明】
【００５２】
【図１】本発明によるナイフ置きサポートの非常に簡単な例の斜視図である。
【図２】図１のナイフ置きと比較して３つの改善を備える、本発明によるナイフ置きの他の実施形態の斜視図である。
【図３】本発明の他の変形形態における、箸と共に使用される本発明によるナイフ置きの使用を示す図である。
【図４】貴金属プレートで生成される、本発明によるナイフ置きの他の実施形態を示す図である。
【図５】本発明によるナイフ置きサポートの非常に簡単な実施形態を示す図である。
【図６】本発明によるナイフ置きの他の実施形態を示す図である。
【図７】本発明によるナイフ置きの他の実施形態を示す図である。
【図８】本発明によるナイフ置きの他の実施形態を示す図である。
【図９】本発明によるナイフ置きの他の実施形態を示す図である。
【図１０】本発明による他の特徴を有する、図９のナイフ置きサポートの変形形態を示す図である。
【図１１】栓が刃物類と接触しないナイフ置きの実施形態を示す図である。
【図１２】栓が刃物類と接触しないナイフ置きの実施形態を示す図である。
【図１３】栓が刃物類と接触しないナイフ置きの実施形態を示す図である。
【図１４】栓が刃物類と接触しないナイフ置きの実施形態を示す図である。
【図１５】栓がウィスキ・ボトルのねじキャップである、本発明によるナイフ置きの他の実施形態を示す図である。
【図１６】本発明によるナイフ置きサポートの他の複数の実施形態を示す平面図である。
【図１７】本発明の他の実施形態による入れ子式ナイフ置きを示す斜視図である。
【図１８】本発明の他の実施形態による入れ子式ナイフ置きを示す斜視図である。
【図１９】本発明の他の実施形態による折りたたみナイフ置きを示す斜視図である。
【図２０】本発明の他の実施形態による折りたたみナイフ置きを示す斜視図である。
【図２１】図１の固定ナイフ置きの変形形態の斜視図である。
【図１】
2006526445.tif 000003
【図２】
2006526445.tif 000004
【図３】
2006526445.tif 000005
【図４】
2006526445.tif 000006
【図５】
2006526445.tif 000007
【図６】
2006526445.tif 000008
【図７】
2006526445.tif 000009
【図８】
2006526445.tif 000010
【図９】
2006526445.tif 000011
【図１０】
2006526445.tif 000012
【図１１】
2006526445.tif 000013
【図１２】
2006526445.tif 000014
【図１３】
2006526445.tif 000015
【図１４】
2006526445.tif 000016
【図１５】
2006526445.tif 000017
【図１６】
2006526445.tif 000018
【図１７】
2006526445.tif 000019
【図１８】
2006526445.tif 000020
【図１９】
2006526445.tif 000021
【図２０】
2006526445.tif 000022
【図２１】
2006526445.tif 000023
【国際調査報告】
2006526445.tif 000024
2006526445.tif 000025
2006526445.tif 000026
2006526445.tif 000027
2006526445.tif 000028
2006526445.tif 000029